(57)【要約】【課題】任意の番号に対して遠隔地から疎通確認を実施する。【解決手段】呼接続装置１０が一般用と試験用のロケーション情報と端末番号とを対応させて格納したロケーション情報記憶部１３を備え、試験呼表示を設定した呼接続要求信号を受信した場合は、試験用のロケーション情報を読み出し、試験呼表示が設定されていない呼接続要求信号を受信した場合は、一般用のロケーション情報を読み出し、読み出したロケーション情報が示す端末へ呼接続要求信号を送信する。これにより、試験用の呼だけを試験用ＩＰ電話端末３１，３２に着信させることができる。試験用の認証情報を認証情報記憶部１２に保持し、試験用ＩＰ電話端末３１，３２の正当性を確認する際に、この試験用の認証情報を用いる。これにより、試験対象の端末番号を試験用ＩＰ電話端末３１，３２に設定しても、試験対象の認証情報を試験用ＩＰ電話端末３１，３２に設定する必要がなくなる。【選択図】図１
2010118725.tif 000002
【特許請求の範囲】
【請求項１】
通信網に接続された試験用端末と呼接続装置とを有する回線試験システムであって、
前記試験用端末は、試験対象の端末番号を設定したものであって、試験呼であることを示す試験呼表示を設定した接続要求を送信し、
前記呼接続装置は、
一般用と試験用のロケーション情報と端末番号とを対応させて格納したロケーション情報記憶手段と、
前記試験用端末の正当性を確認して前記接続要求を受信する受信手段と、
受信した前記接続要求に試験呼表示が設定されているときには、前記ロケーション情報記憶手段から試験用のロケーション情報を読み出し、試験呼表示が設定されてないときには、前記ロケーション情報記憶手段から一般用のロケーション情報を読み出すロケーション情報取得手段と、
読み出した前記ロケーション情報に対応する端末に着信させる発信手段と、を有すること
を特徴とする回線試験システム。
【請求項２】
前記呼接続装置は、
前記試験用端末を認証するための試験用認証情報を格納した認証情報記憶手段を有し、
前記受信手段は、受信した前記接続要求に試験呼表示が設定されているときには、前記認証情報記憶手段から前記試験用認証手段を読み出して前記試験用端末の正当性を確認することを特徴とする請求項１記載の回線試験システム。
【請求項３】
前記受信手段は、前記試験用端末のロケーションに基づいて正当性を確認することを特徴とする請求項１記載の回線試験システム。
【請求項４】
前記呼接続装置は、前記試験用端末から前記試験呼表示を設定したロケーション登録要求を受信し、前記ロケーション情報記憶手段に試験用のロケーション情報として格納させることを特徴とする請求項１乃至３のいずれかに記載の回線試験システム。
【請求項５】
通信網に接続された試験用端末と呼接続装置とにより回線試験方法であって、
試験対象の端末番号を設定した前記試験用端末が試験呼であることを示す試験呼表示を設定した接続要求を送信するステップと、
前記呼接続装置による、前記試験用端末の正当性を確認して前記接続要求を受信するステップと、
前記呼接続装置による、受信した前記接続要求に試験呼表示が設定されているときには、一般用と試験用のロケーション情報と端末番号とを対応させて格納したロケーション情報記憶手段から試験用のロケーション情報を読み出し、試験呼表示が設定されてないときには、前記ロケーション情報記憶手段から一般用のロケーション情報を読み出すステップと、
前記呼接続装置による、読み出した前記ロケーション情報に対応する端末に着信させるステップと、
を特徴とする回線試験方法。
【請求項６】
前記受信するステップは、受信した前記接続要求に試験呼表示が設定されているときには、前記試験用端末を認証するための試験用認証情報を格納した認証情報記憶手段から前記試験用認証手段を読み出して前記試験用端末の正当性を確認することを特徴とする請求項５記載の回線試験方法。
【請求項７】
前記受信するステップは、前記試験用端末のロケーションに基づいて正当性を確認することを特徴とする請求項５記載の回線試験方法。
【請求項８】
前記呼接続装置による、前記試験用端末から前記試験呼表示を設定したロケーション登録要求を受信し、前記ロケーション情報記憶手段に試験用のロケーション情報として格納させるステップを有することを特徴とする請求項５乃至７のいずれかに記載の回線試験方法。
【発明の詳細な説明】
【技術分野】
【０００１】
本発明は、ＩＰ通信網を介して音声通信や映像通信を行うシステムにおける回線試験の技術に関する。
【背景技術】
【０００２】
従来、ＩＰ通信網に接続するＩＰ電話端末の疎通確認は、疎通確認するＩＰ電話端末から発信したり、そのＩＰ電話端末に着信することで実施していた。また、疎通確認する実際のＩＰ電話端末を使用しない方法としては、ＩＰ通信網内に端末終端装置を設置し、それを用いた疑似発着信を実施する方法や、遠隔地から別のＩＰ電話端末を用いて疎通確認する方法がある。例えば、回線を接続試験する方法として特許文献１に記載の技術が開示されている。
【特許文献１】特開平１０−１２６５００号公報
【発明の開示】
【発明が解決しようとする課題】
【０００３】
しかしながら、疎通確認する実際のＩＰ電話端末を利用する方法は、そのＩＰ電話端末が利用可能な場所へ移動する必要がある。
【０００４】
また、端末終端装置を利用する方法は、ＩＰ通信網内に端末終端装置などの設備を配備する費用が必要となる。
【０００５】
一方、遠隔地にある試験用ＩＰ電話端末を用いて疎通確認する方法では、場所を移動する必要や設備を配備する必要は無いが、試験用ＩＰ電話端末に対して疎通確認対象の端末番号を設定し、その端末番号に対応する認証データを試験用ＩＰ電話端末に登録する必要がある。しかしながら、認証データを試験用ＩＰ電話端末に登録することは、セキュリティ上あまり好ましくない。
【０００６】
さらに、疎通確認するＩＰ電話端末への着信を試験用ＩＰ電話端末に対して着信させるために、試験用ＩＰ電話端末のロケーションデータを疎通確認対象の端末番号のロケーションデータとしてＩＰ通信網に設置された呼接続装置に登録する必要がある。この場合、試験用ＩＰ電話端末のロケーションデータを登録している間は、疎通確認対象の端末番号に対する着信がすべて試験用ＩＰ電話端末に着信してしまい、疎通確認対象のＩＰ電話端末の利用者の利便性が損なわれるという問題がある。
【０００７】
本発明は、上記に鑑みてなされたものであり、その課題とするところは、任意の番号に対して遠隔地から疎通確認を実施することにある。
【課題を解決するための手段】
【０００８】
第１の本発明に係る回線試験システムは、通信網に接続された試験用端末と呼接続装置とを有する回線試験システムであって、試験用端末は、試験対象の端末番号を設定したものであって、試験呼であることを示す試験呼表示を設定した接続要求を送信し、呼接続装置は、一般用と試験用のロケーション情報と端末番号とを対応させて格納したロケーション情報記憶手段と、試験用端末の正当性を確認して接続要求を受信する受信手段と、受信した接続要求に試験呼表示が設定されているときには、ロケーション情報記憶手段から試験用のロケーション情報を読み出し、試験呼表示が設定されてないときには、ロケーション情報記憶手段から一般用のロケーション情報を読み出すロケーション情報取得手段と、読み出したロケーション情報に対応する端末に着信させる発信手段と、を有することを特徴とする。
【０００９】
上記回線試験システムにおいて、呼接続装置は、試験用端末を認証するための試験用認証情報を格納した認証情報記憶手段を有し、受信手段は、受信した接続要求に試験呼表示が設定されているときには、認証情報記憶手段から試験用認証手段を読み出して試験用端末の正当性を確認することを特徴とする。
【００１０】
上記回線試験システムにおいて、受信手段は、試験用端末のロケーションに基づいて正当性を確認することを特徴とする。
【００１１】
上記回線試験システムにおいて、呼接続装置は、試験用端末から試験呼表示を設定したロケーション登録要求を受信し、ロケーション情報記憶手段に試験用のロケーション情報として格納させることを特徴とする。
【００１２】
第２の本発明に係る回線試験方法は、通信網に接続された試験用端末と呼接続装置とにより回線試験方法であって、試験対象の端末番号を設定した試験用端末が試験呼であることを示す試験呼表示を設定した接続要求を送信するステップと、呼接続装置による、試験用端末の正当性を確認して接続要求を受信するステップと、呼接続装置による、受信した接続要求に試験呼表示が設定されているときには、一般用と試験用のロケーション情報と端末番号とを対応させて格納したロケーション情報記憶手段から試験用のロケーション情報を読み出し、試験呼表示が設定されてないときには、ロケーション情報記憶手段から一般用のロケーション情報を読み出すステップと、呼接続装置による、読み出したロケーション情報に対応する端末に着信させるステップと、を特徴とする。
【００１３】
上記回線試験方法において、受信するステップは、受信した接続要求に試験呼表示が設定されているときには、試験用端末を認証するための試験用認証情報を格納した認証情報記憶手段から試験用認証手段を読み出して試験用端末の正当性を確認することを特徴とする。
【００１４】
上記回線試験方法において、受信するステップは、試験用端末のロケーションに基づいて正当性を確認することを特徴とする。
【００１５】
上記回線試験方法において、呼接続装置による、試験用端末から試験呼表示を設定したロケーション登録要求を受信し、ロケーション情報記憶手段に試験用のロケーション情報として格納させるステップを有することを特徴とする。
【発明の効果】
【００１６】
本発明にあっては、呼接続装置が一般用と試験用のロケーション情報と端末番号とを対応させて格納したロケーション情報記憶手段を備え、試験呼表示を設定した接続要求を受信した場合は、試験用のロケーション情報を用いて着信し、試験呼表示が設定されていない接続要求を受信した場合は、一般用のロケーション情報を用いて着信することで、一般用の着信呼に影響なく、試験用の着信呼を着信させることを可能とする。
【００１７】
本発明にあっては、試験用認証情報を用いて試験用端末の正当性を確認することで、試験対象の端末番号を試験用端末に設定した場合でも試験対象の端末に設定された認証情報を用いる必要がなくなる。また、特定のロケーションからの着信呼は、試験用端末からの着信呼であるとして試験用端末の正当性を確認してもよい。
【００１８】
このように、本発明によれば、任意の番号に対して遠隔地から疎通確認を実施することができる。
【発明を実施するための最良の形態】
【００１９】
以下、本発明の実施の形態について図面を用いて説明する。
【００２０】
図１は、本実施の形態における回線試験システムの構成を示すブロック図である。同図に示す回線試験システム１は、ＩＰ通信網２に配置された呼接続装置１０と、試験用ＩＰ電話端末３１，３２とを有する。回線試験システム１は、試験対象のＩＰ電話端末３３，３４に発着信させることなく、遠隔地に配置された試験用ＩＰ電話端末３１，３２を用いて任意の端末番号に対して疎通確認をするものである。
【００２１】
ＩＰ電話端末３３，３４は、ＩＰ通信網２に接続され、呼接続装置１０を経由して音声通信や映像通信を行う端末である。
【００２２】
試験用ＩＰ電話端末３１，３２は、ＩＰ電話端末３３，３４と同様に、ＩＰ通信網２に接続され、呼接続装置１０を経由して音声通信や映像通信を行う端末であり、任意の番号での発着信の疎通確認ができるように、試験呼表示を設定した呼接続要求信号及びロケーション登録要求信号を送信することが可能である。
【００２３】
呼接続装置１０は、端末から呼接続要求信号を受信し、その呼接続要求信号に含まれる着信番号に対応する端末へ呼接続要求信号を送信し、端末間の通信を確立する。呼接続装置１０は、図１に示すように、呼接続処理部１１、認証情報記憶部１２、およびロケーション情報記憶部１３を備える。
【００２４】
呼接続処理部１１は、端末から受信した呼接続要求信号の分析・接続先判定を行い、接続先端末へ信号を送信する。
【００２５】
認証情報記憶部１２は、端末の正当性を確認するための認証情報を端末番号毎に記憶し、さらに、試験用の端末の正当性を確認するための試験用の認証情報を記憶する。図２に、認証情報記憶部１２が端末番号と認証情報とを対応させて記憶した例を示す。同図の例では、端末番号１００１，１００２，・・・に対応する認証情報の他に試験用に用いる端末を認証するための試験用の認証情報を保持している。
【００２６】
ロケーション情報記憶部１３は、端末のロケーション（ＩＰアドレス）情報を端末番号毎に記憶する。呼接続処理部１１は、ロケーション情報記憶部１３を参照して、呼接続要求信号に含まれる着番号に対応するロケーションを求め、そのロケーションへ信号を送信する。ロケーション情報は、一般登録と試験登録の２種類ある。一般登録のロケーション情報は通常時（試験呼表示が無い時）の端末のロケーションを示し、試験登録のロケーション情報は試験時（試験呼表示が有る時）に用いる端末のロケーションを示す。図３に、ロケーション情報記憶部１３に記憶させたロケーション情報の例を示す。ロケーション情報は、端末がロケーション登録要求信号を呼接続装置１０へ送信することでロケーション情報記憶部１３に登録される。
【００２７】
次に、呼接続装置１０がロケーション情報を登録する動作について説明する。
【００２８】
図４は、呼接続装置１０が端末からロケーション登録要求信号を受信したときの動作を示すフローチャートである。
【００２９】
呼接続処理部１１は、ロケーション登録要求信号を受信すると（ステップＳ４０１）、ロケーション登録要求信号の試験呼表示の有無を判定する（ステップＳ４０２）。
【００３０】
試験呼表示が無い場合は、ロケーション登録要求信号内に設定された発番号に対応する認証情報を認証情報記憶部１２から取得する（ステップＳ４０３）。試験呼表示が有る場合は、試験用の認証情報を認証情報記憶部１２から取得する（ステップＳ４０４）。
【００３１】
そして、呼接続処理部１１は、取得した認証情報を用いてロケーション登録要求信号を送信した端末に対して認証処理を実施する（ステップＳ４０５）。
【００３２】
認証が失敗した場合は、端末に対してエラー応答を通知する（ステップＳ４０６）。
【００３３】
認証が成功した場合は、試験呼表示の有無を判定し（ステップＳ４０７）、試験呼表示が無い場合は、ロケーション登録要求信号により通知されたＩＰアドレスを一般登録のロケーション情報としてロケーション情報記憶部１３に記憶させる（ステップＳ４０８）。試験呼表示が有る場合は、ロケーション登録要求信号により通知されたＩＰアドレスを試験登録のロケーション情報としてロケーション情報記憶部１３に記憶させる（ステップＳ４０９）。
【００３４】
このように、呼接続装置１０は、ロケーション登録要求信号を受信して端末番号に対応するロケーション情報を一般登録あるいは試験登録のいずれかとしてロケーション情報記憶部１３に記憶させる。ロケーション情報記憶部１３に記憶されたロケーション情報は、呼接続装置１０が接続要求信号を受信したときに、接続先の端末のＩＰアドレスを知るために用いられる。
【００３５】
図５は、試験用ＩＰ電話端末３１をＩＰ電話端末３３（端末番号：１００１）として登録するときの様子を示すシーケンス図である。
【００３６】
まず、試験用ＩＰ電話端末３１がローション登録要求信号を呼接続装置１０へ送信する（ステップＳ５０１）。ロケーション登録要求信号には、登録対象の番号（この場合、１００１）、試験呼表示、および試験用ＩＰ電話端末３１のＩＰアドレスが含まれる。
【００３７】
続いて、ロケーション登録要求信号を受信した呼接続装置１０は、ロケーション登録要求信号に試験呼表示が有るので、試験用の認証情報を取得し（ステップＳ５０２）、試験用ＩＰ電話端末３１との間で認証処理を実施する（ステップＳ５０３）。
【００３８】
認証処理後、呼接続装置１０は、番号１００１の試験登録のロケーション情報として、ロケーション登録要求信号に含まれたＩＰアドレスを登録し（ステップＳ５０４）、試験用ＩＰ電話端末３１へ登録ＯＫの旨の応答を送信する（ステップＳ５０５）。
【００３９】
これにより、試験用ＩＰ電話端末３１のＩＰアドレスが端末番号１００１の試験登録のロケーション情報として登録されるので、呼接続装置１０が、試験呼表示が有る端末番号１００１に対する接続要求信号を受信した場合、試験用ＩＰ電話端末３１に対して接続要求信号を送信する。一方、一般登録のロケーション情報は変更されていないので、試験呼表示が無い端末番号１００１に対する接続要求信号を受信した場合は、ＩＰ電話端末３３に対して接続要求信号が送信される。
【００４０】
次に、呼接続装置１０が呼接続要求信号を受信し、端末間の通信を確立する動作について説明する。
【００４１】
図６は、呼接続装置１０が端末から呼接続要求信号を受信したときの動作を示すフローチャートである。
【００４２】
呼接続処理部１１は、呼接続要求信号を受信すると（ステップＳ６０１）、呼接続要求信号の試験呼表示の有無を判定する（ステップＳ６０２）。
【００４３】
試験呼表示が無い場合は、呼接続要求信号内に設定された発番号に対応する認証情報を認証情報記憶部１２から取得する（ステップＳ６０３）。試験呼表示が有る場合は、試験用の認証情報を認証情報記憶部１２から取得する（ステップＳ６０４）。
【００４４】
そして、呼接続処理部１１は、取得した認証情報を用いて接続要求信号を送信した端末に対して認証処理を実施する（ステップＳ６０５）。
【００４５】
認証が失敗した場合は、端末に対してエラー応答を通知する（ステップＳ６０６）。
【００４６】
認証が成功した場合は、試験呼表示の有無を判定し（ステップＳ６０７）、試験呼表示が無い場合は、着信先の端末番号に対応する一般登録のロケーション情報をロケーション情報記憶部１３から取得する（ステップＳ６０８）。試験呼表示が有る場合は、着信先の端末番号に対応する試験登録のロケーション情報をロケーション情報記憶部１３から取得する（ステップＳ６０９）。
【００４７】
そして、取得したロケーション情報の示す端末へ呼接続要求信号を送信する（ステップＳ６１０）。
【００４８】
このように、呼接続装置１０は、呼接続要求信号を受信し、試験呼表示の有無に応じて接続先のロケーションを選択する。これにより、試験呼表示が無い場合には、一般登録のロケーション情報が用いられるので、試験用ＩＰ電話端末３１，３２に試験呼以外が着信することがなくなる。
【００４９】
図７は、端末番号１００２として登録した試験用ＩＰ電話端末３２から端末番号１００１として登録した試験用ＩＰ電話端末３１へ発信するときの様子を示すシーケンス図である。ここでは、呼接続装置１０のロケーション情報記憶部１３には、端末番号１００１の試験登録のロケーション情報として試験用ＩＰ電話端末３１のロケーションが登録されており、端末番号１００２の試験登録のロケーション情報として試験用ＩＰ電話端末３２のロケーションが登録されているものとする。
【００５０】
まず、試験用ＩＰ電話端末３２が呼接続要求信号を呼接続装置１０へ送信する（ステップＳ７０１）。呼接続要求信号には、発番号（１００２）、着番号（１００１）、および試験呼表示が含まれる。
【００５１】
続いて、呼接続要求信号を受信した呼接続装置１０は、呼接続要求信号に試験呼表示が有るので、試験用の認証情報を取得し（ステップＳ７０２）、試験用ＩＰ電話端末３２との間で認証処理を実施する（ステップＳ７０３）。
【００５２】
認証処理後、呼接続装置１０は、着番号１００１の試験登録のロケーション情報を取得する（ステップＳ７０４）。受信した呼接続要求信号には試験呼表示が含まれているので、着信する端末として試験登録のロケーション情報が示す端末を選択する。この例では、呼接続装置１０は、試験用ＩＰ電話端末３１のＩＰアドレスを取得する。
【００５３】
取得したロケーション情報の示す試験用ＩＰ電話端末３１へ呼接続要求信号を送信すると（ステップＳ７０５）、試験用ＩＰ電話端末３１が応答を返すので（ステップＳ７０６）、その応答を発信元の試験用ＩＰ電話端末３２へ送信し、試験用ＩＰ電話端末３１，３２間で通信が開始されて、疎通確認が行われる（ステップＳ７０７）。
【００５４】
このように、試験呼表示の有無に応じて接続先のロケーション情報を変更することにより、試験呼表示の有るものだけ試験用ＩＰ電話端末３１，３２に着信させることができる。試験呼表示の無い通常の着信は、一般登録のロケーション情報の示す端末へ着信するので、試験終了後、呼接続装置１０のロケーション情報記憶部１３の設定を変えることなく通常利用できる。
【００５５】
なお、上記では、試験用の認証データを用いて試験用ＩＰ電話端末３１，３２の正当性を保証したが、試験用ＩＰ電話端末３１，３２のＩＰアドレスを固定化し、そのＩＰアドレスを識別することで試験用の発着信を許可するものでもよい。
【００５６】
本実施の形態では、試験呼であることを呼接続装置１０へ通知するために試験呼表示というパラメータを通知したが、端末番号の先頭に特別な番号を付与することで試験呼であることを示す試験呼表示を設定するものでもよい。例えば、着番号「１００１」の先頭に９９という特別な番号を設定して着番号を「９９１００１」とし、呼接続装置１０は、着番号の先頭が９９から始まる場合に試験呼接続であると判断する。
【００５７】
したがって、本実施の形態によれば、呼接続装置１０が一般登録と試験登録のロケーション情報と端末番号とを対応させて格納したロケーション情報記憶部１３を備え、試験呼表示を設定した呼接続要求信号を受信した場合は、試験登録のロケーション情報を読み出し、試験呼表示が設定されていない呼接続要求信号を受信した場合は、一般登録のロケーション情報を読み出し、読み出したロケーション情報が示す端末へ呼接続要求信号を送信することで、試験用の呼だけを試験用ＩＰ電話端末３１，３２に着信させることができる。
【００５８】
本実施の形態によれば、試験用の認証情報を認証情報記憶部１２に保持し、試験用ＩＰ電話端末３１，３２の正当性を確認する際に、この試験用の認証情報を用いることで、試験対象の端末番号を試験用ＩＰ電話端末３１，３２に設定しても、試験対象の認証情報を試験用ＩＰ電話端末３１，３２に設定する必要がなくなる。また、試験用ＩＰ電話端末３１，３２のＩＰアドレスを識別することで正当性を確認してもよい。
【図面の簡単な説明】
【００５９】
【図１】一実施の形態における回線試験システムの構成を示すブロック図である。
【図２】認証情報記憶部が格納する端末番号と認証情報とを対応させた表である。
【図３】ロケーション情報記憶部が格納するロケーション情報を示す表である。
【図４】呼接続装置がロケーション登録要求信号を受信したときの動作の流れを示すフローチャートである。
【図５】試験用ＩＰ電話端末が試験登録のロケーション情報を登録する流れを示すシーケンス図である。
【図６】呼接続装置が呼接続要求信号を受信したときの動作の流れを示すフローチャートである。
【図７】試験用ＩＰ電話端末間で発着信する流れを示すシーケンス図である。
【符号の説明】
【００６０】
１…回線試験システム
２…ＩＰ通信網
１０…呼接続装置
１１…呼接続処理部
１２…認証情報記憶部
１３…ロケーション情報記憶部
３１，３２…試験用ＩＰ電話端末
３３，３４…ＩＰ電話端末
【図１】
2010118725.tif 000003
【図２】
2010118725.tif 000004
【図３】
2010118725.tif 000005
【図４】
2010118725.tif 000006
【図５】
2010118725.tif 000007
【図６】
2010118725.tif 000008
【図７】
2010118725.tif 000009